【手続補正書】
【提出日】平成27年6月18日(2015.6.18)
【手続補正１】
【補正対象書類名】特許請求の範囲
【補正対象項目名】全文
【補正方法】変更
【補正の内容】
【特許請求の範囲】
【請求項１】
無線通信の方法であって、
複数のコンポーネントキャリア（ＣＣ）内の各ＣＣについてのチャネル状態情報（ＣＳＩ）を報告するための構成をユーザ機器が決定することと、
前記構成に少なくとも部分的に基づいて、第１のサブフレームについて、前記複数のＣＣ内の前記ＣＣのうちの１または複数の各々に関連付けられたＣＳＩを送信するための優先順位を決定することと、ここにおいて、前記優先順位は、前記複数のＣＣの各々に関連付けられたＣＳＩ報告タイプ、キャリアインデックス、およびキャリア周波数のうちの少なくとも１つに基づく順序付けを備える、
ＣＳＩを報告するために利用可能なペイロードサイズを決定することと、ここにおいて、前記利用可能なペイロードサイズは、構成された送信フォーマットに依存する、
前記優先順位に基づいて、前記第１のサブフレームでＣＳＩ報告を前記ユーザ機器が送信することと、
を備え、前記複数のＣＣのうちの２つ以上のＣＣについてのＣＳＩは、決定された前記利用可能なペイロードサイズまで前記ＣＳＩ報告で送信され、前記２つ以上のＣＣは、前記優先順位にしたがって選択される、方法。
【請求項２】
前記構成は、前記複数のＣＣ内のＣＣの順序付けと、各ＣＣについての報告タイプとを示す、請求項１に記載の方法。
【請求項３】
前記構成を決定することは、無線リソース制御（ＲＲＣ）メッセージを受信することを備える、請求項１に記載の方法。
【請求項４】
前記優先順位を決定することは、
前記複数のＣＣ内のプライマリコンポーネントキャリア（ＰＣＣ）についてのＣＳＩが前記第１のサブフレームで送信される予定であると決定することと、
前記複数のＣＣ内のセカンダリコンポーネントキャリア（ＳＣＣ）についてのＣＳＩが前記第１のサブフレームで送信される予定であると決定することと、
前記第１のサブフレームにおいて前記ＳＣＣについての前記ＣＳＩをドロップすることと
を備える、請求項１に記載の方法。
【請求項５】
前記ＣＳＩ報告を送信することは、前記ＰＣＣについての前記ＣＳＩを送信することを備える、請求項４に記載の方法。
【請求項６】
前記優先順位を決定することは、
前記複数のＣＣ内の第１のＣＣについてのランクインジケータ（ＲＩ）を備えるＣＳＩが前記第１のサブフレームで送信される予定であると決定することと、
前記複数のＣＣ内の第２のＣＣについてのチャネル品質インジケータ（ＣＱＩ）およびプリコーディング行列インジケータ（ＰＭＩ）のうちの１つを備えるＣＳＩが前記第１のサブフレームで送信される予定であると決定することと、
前記第１のサブフレームにおいて前記第２のＣＣについての前記ＣＱＩおよび前記ＰＭＩのうちの１つをドロップすることと
を備える、請求項１に記載の方法。
【請求項７】
前記ＣＳＩ報告で前記第１のＣＣについての前記ＲＩを送信することをさらに備える、請求項６に記載の方法。
【請求項８】
前記複数のＣＣの間で１または複数のアクティブ化ＣＣのセットを決定することをさらに備え、
前記ＣＳＩ報告を送信することは、前記アクティブ化ＣＣのセット内のＣＣについてのＣＳＩを送信することと、前記アクティブ化ＣＣのセット内にないＣＣについてのＣＳＩをドロップすることとを備える、請求項１に記載の方法。
【請求項９】
前記優先順位にしたがって、前記ＣＳＩ報告で２つ以上のＣＣについてのＣＳＩを、送信フォーマットに対応する最大ペイロードサイズまで多重化することをさらに備える、請求項１に記載の方法。
【請求項１０】
前記第１のサブフレームでの送信が予定されるすべてのＣＳＩが多重化されるまで、あるいは、最大ペイロードサイズに到達するまで、前記複数のＣＣ内のＣＣについての前記ＣＳＩを多重化することをさらに備える、請求項１に記載の方法。
【請求項１１】
前記送信フォーマットは、離散フーリエ変換、単一キャリア、直交周波数分割多重（ＤＦＴ−Ｓ−ＯＦＤＭ）波形に関連づけられる、請求項９に記載の方法。
【請求項１２】
前記送信フォーマットは、ロングタームエボリューション−アドバンスト（ＬＴＥ／Ａ）通信システムにおいて物理アップリンク制御チャネル（ＰＵＣＣＨ）フォーマット３を備える、請求項９に記載の方法。
【請求項１３】
前記ＣＳＩ報告内の１つのＣＳＩタイプだけを多重化することをさらに備える、請求項１に記載の方法。
【請求項１４】
前記ＣＳＩ報告内の異なるＣＳＩタイプを多重化することをさらに備える、請求項１に記載の方法。
【請求項１５】
前記優先順位を決定することは、単一入力単一出力（ＳＩＭＯ）コンポーネントキャリアについてのＣＳＩよりも、多入力多出力（ＭＩＭＯ）コンポーネントキャリアについてのＣＳＩを優先することを備える、請求項１に記載の方法。
【請求項１６】
前記優先順位を決定することは、ＣＳＩタイプにしたがって前記ＭＩＭＯコンポーネントキャリアを優先することをさらに備え、前記ＣＳＩタイプは、ＲＩタイプ、広帯域ＣＱＩタイプ、広帯域ＰＭＩタイプ、および、サブ帯域ＰＭＩタイプのうちの１つを備える、請求項１５に記載の方法。
【請求項１７】
前記構成は、前記複数のＣＣ内の各ＣＣについてのインデックスを含み、前記優先順位を決定することは、それらの対応するインデックスに少なくとも部分的に基づいて前記ＣＣを順序付けることを備える、請求項１に記載の方法。
【請求項１８】
前記ＣＳＩ報告は複数のＣＳＩタイプを備え、前記方法は、ＣＳＩタイプにしたがって、前記ＣＳＩ報告内の前記ＣＳＩを、前記最大ペイロードサイズまで順序付けることをさらに備える、請求項９に記載の方法。
【請求項１９】
前記優先順位を決定することは、広帯域ＣＱＩ報告、広帯域ＰＭＩ報告、サブ帯域ＣＱＩ報告のどれよりもランクインジケータ（ＲＩ）を優先することを備える、請求項１に記載の方法。
【請求項２０】
前記優先順位にしたがって、前記第１のサブフレームで１または複数のさらなるＣＳＩ報告を前記ＣＳＩ報告と、前記第１のサブフレーム内のＣＳＩ報告のための最大ペイロードサイズまで多重化することをさらに備える、請求項１に記載の方法。
【請求項２１】
前記複数のＣＣは、１または複数のアクティブ化ＣＣおよび１または複数の非アクティブ化ＣＣを備え、前記方法は、
前記１または複数の非アクティブ化ＣＣについてのＣＳＩをドロップすることと、
前記優先順位にしたがって、前記１または複数のアクティブ化ＣＣについてのＣＳＩを最大ペイロードサイズまで多重化することと
をさらに備える、請求項１に記載の方法。
【請求項２２】
前記複数のＣＣは、１または複数のアクティブ化ＣＣおよび１または複数の非アクティブ化ＣＣを備え、前記方法は、前記１または複数のアクティブ化ＣＣについてのＣＳＩ、および、前記１または複数の非アクティブ化ＣＣについての予め決められたパターンを最大ペイロードサイズまで多重化することをさらに備える、請求項１に記載の方法。
【請求項２３】
無線通信装置であって、
プロセッサと、
プロセッサ実行可能命令を備えるメモリと、を備え、
前記プロセッサ実行可能命令は、前記プロセッサによって実行されると、
複数のコンポーネントキャリア（ＣＣ）内の各ＣＣについてのチャネル状態情報（ＣＳＩ）を報告するための構成を決定し、
前記構成に少なくとも部分的に基づいて、第１のサブフレームについて、前記複数のＣＣ内の前記ＣＣのうちの１または複数の各々に関連付けられたＣＳＩを送信するための優先順位を決定し、ここにおいて、前記優先順位は、前記複数のＣＣの各々に関連付けられたＣＳＩ報告タイプ、キャリアインデックス、およびキャリア周波数のうちの少なくとも１つに基づく順序付けを備える、
ＣＳＩを報告するために利用可能なペイロードサイズを決定し、ここにおいて、前記利用可能なペイロードサイズは、構成された送信フォーマットに依存する、
前記優先順位に基づいて、前記第１のサブフレームでＣＳＩ報告を送信する
ように前記プロセッサを構成し、前記複数のＣＣのうちの２つ以上のＣＣについてのＣＳＩが、決定された前記利用可能なペイロードサイズまで前記ＣＳＩ報告で送信され、前記２つ以上のＣＣは前記優先順位にしたがって選択される、無線通信装置。
【請求項２４】
前記構成は、前記複数のＣＣ内のＣＣの順序付けと、各ＣＣについての報告タイプとを示す、請求項２３に記載の無線通信装置。
【請求項２５】
前記プロセッサは、
前記複数のＣＣ内のプライマリコンポーネントキャリア（ＰＣＣ）についてのＣＳＩが前記第１のサブフレームで送信される予定であると決定することと、
前記複数のＣＣ内のセカンダリコンポーネントキャリア（ＳＣＣ）についてのＣＳＩが前記第１のサブフレームで送信される予定であると決定することと、
前記第１のサブフレームにおいて前記ＳＣＣについての前記ＣＳＩをドロップすることと
によって前記優先順位を決定するように構成される、請求項２３に記載の無線通信装置。
【請求項２６】
前記プロセッサは、
前記複数のＣＣ内の第１のＣＣについてのランクインジケータ（ＲＩ）を備えるＣＳＩが前記第１のサブフレームで送信される予定であると決定することと、
前記複数のＣＣ内の第２のＣＣについてのチャネル品質インジケータ（ＣＱＩ）およびプリコーディング行列インジケータ（ＰＭＩ）のうちの１つを備えるＣＳＩが前記第１のサブフレームで送信される予定であると決定することと、
前記第１のサブフレームにおいて前記第２のＣＣについての前記ＣＳＩをドロップすることと
によって前記優先順位を決定するように構成される、請求項２３に記載の無線通信装置。
【請求項２７】
前記プロセッサが前記複数のＣＣの間で１または複数のアクティブ化ＣＣのセットを決定するようにさらに構成され、前記プロセッサは、アクティブ化ＣＣの前記セット内のＣＣについてのＣＳＩを送信し、アクティブ化ＣＣの前記セット内にないＣＣについてのＣＳＩをドロップすることによって前記ＣＳＩ報告を送信するように構成される、請求項２３に記載の無線通信装置。
【請求項２８】
前記プロセッサが前記優先順位にしたがって、前記ＣＳＩ報告内の２つ以上のＣＣについてのＣＳＩを、前記第１のサブフレームでＣＳＩを報告するための最大ペイロードサイズまで多重化するようにさらに構成される、請求項２３に記載の無線通信装置。
【請求項２９】
前記プロセッサが前記第１のサブフレームでの送信が予定されるすべてのＣＳＩが多重化されるまで、あるいは、最大ペイロードサイズに到達するまで、前記複数のＣＣ内の前記ＣＣについての前記ＣＳＩを多重化するようにさらに構成される、請求項２３に記載の無線通信装置。
【請求項３０】
前記プロセッサが単一入力単一出力（ＳＩＭＯ）コンポーネントキャリアについてのＣＳＩよりも、多入力多出力（ＭＩＭＯ）コンポーネントキャリアについてのＣＳＩを優先することによって前記優先順位を決定するように構成される、請求項２３に記載の無線通信装置。
【請求項３１】
前記プロセッサが広帯域ＣＱＩ報告、広帯域ＰＭＩ報告、サブ帯域ＣＱＩ報告のどれよりもランクインジケータ（ＲＩ）を優先することによって前記優先順位を決定するように構成される、請求項２３に記載の無線通信装置。
【請求項３２】
前記プロセッサが前記第１のサブフレーム内のＣＳＩ報告のための最大ペイロードサイズまで前記優先順位にしたがって、前記第１のサブフレームで１または複数のさらなるＣＳＩ報告を多重化するようにさらに構成される、請求項２３に記載の無線通信装置。
【請求項３３】
前記複数のＣＣは、１または複数のアクティブ化ＣＣおよび１または複数の非アクティブ化ＣＣを備え、前記プロセッサは、前記１または複数の非アクティブ化ＣＣについての前記ＣＳＩをドロップし、前記優先順位にしたがって、前記１または複数のアクティブ化ＣＣについてのＣＳＩを最大ペイロードサイズまで多重化するようにさらに構成される、請求項２３に記載の無線通信装置。
【請求項３４】
前記複数のＣＣは、１または複数のアクティブ化ＣＣおよび１または複数の非アクティブ化ＣＣを備え、前記プロセッサは、前記１または複数のアクティブ化ＣＣについてのＣＳＩ、および、前記１または複数の非アクティブ化ＣＣについての予め決められたパターンを最大ペイロードサイズまで多重化するようにさらに構成される、請求項２３に記載の無線通信装置。
【請求項３５】
装置であって、
複数のコンポーネントキャリア（ＣＣ）内の各ＣＣについてのチャネル状態情報（ＣＳＩ）を報告するための構成を決定する手段と、
前記構成に少なくとも部分的に基づいて、第１のサブフレームについて、前記複数のＣＣ内の前記ＣＣのうちの１または複数の各々に関連付けられたＣＳＩを送信するための優先順位を決定する手段と、ここにおいて、前記優先順位は、前記複数のＣＣの各々に関連付けられたＣＳＩ報告タイプ、キャリアインデックス、およびキャリア周波数のうちの少なくとも１つに基づく順序付けを備える、
ＣＳＩを報告するために利用可能なペイロードサイズを決定する手段と、ここにおいて、前記利用可能なペイロードサイズは、構成された送信フォーマットに依存する、
前記優先順位に基づいて、前記第１のサブフレームでＣＳＩ報告を送信する手段と、
を備え、前記複数のＣＣのうちの２つ以上のＣＣについてのＣＳＩは、決定された前記利用可能なペイロードサイズまで前記ＣＳＩ報告で送信され、前記２つ以上のＣＣは、前記優先順位にしたがって選択される、装置。
【請求項３６】
前記構成は、前記複数のＣＣ内のＣＣの順序付けと、各ＣＣについての報告タイプとを示す、請求項３５に記載の装置。
【請求項３７】
前記複数のＣＣの間で１または複数のアクティブ化ＣＣのセットを決定する手段をさらに備え、
前記１または複数のＣＳＩ報告を送信する手段は、アクティブ化ＣＣの前記セット内のＣＣについてのＣＳＩを送信する手段と、アクティブ化ＣＣの前記セット内にないＣＣについてのＣＳＩをドロップする手段とを備える、請求項３５に記載の装置。
【請求項３８】
前記優先順位にしたがって、前記１または複数のＣＳＩ報告内の２つ以上のＣＣについてのＣＳＩを、前記第１のサブフレームでＣＳＩを報告するための最大ペイロードサイズまで多重化する手段をさらに備える、請求項３５に記載の装置。
【請求項３９】
前記第１のサブフレームでの送信が予定されるすべてのＣＳＩが多重化されるまで、あるいは、最大ペイロードサイズに到達するまで、前記複数のＣＣ内のＣＣについての前記ＣＳＩを多重化する手段をさらに備える、請求項３５に記載の装置。
【請求項４０】
前記優先順位にしたがって、前記第１のサブフレームで１または複数のさらなるＣＳＩ報告を前記ＣＳＩ報告と、前記第１のサブフレーム内のＣＳＩ報告のための最大ペイロードサイズまで多重化する手段をさらに備える、請求項３５に記載の装置。
【請求項４１】
前記複数のＣＣは、１または複数のアクティブ化ＣＣおよび１または複数の非アクティブ化ＣＣを備え、前記装置は、
前記１または複数の非アクティブ化ＣＣについての前記ＣＳＩをドロップする手段と、
前記優先順位にしたがって、前記１または複数のアクティブ化ＣＣについてのＣＳＩを最大ペイロードサイズまで多重化する手段と
をさらに備える、請求項３５に記載の装置。
【請求項４２】
前記複数のＣＣは、１または複数のアクティブ化ＣＣおよび１または複数の非アクティブ化ＣＣを備え、前記装置は、
前記１または複数のアクティブ化ＣＣについてのＣＳＩと、前記１または複数の非アクティブ化ＣＣについての予め決められたパターンとを最大ペイロードサイズまで多重化する手段
をさらに備える、請求項３５に記載の装置。
【請求項４３】
非一時的な機械読取可能な媒体を備える製造物品であって、前記非一時的な機械読取可能な媒体は、複数の命令を備え、前記命令は、機械によって実行されると、
複数のコンポーネントキャリア（ＣＣ）内の各ＣＣについてのチャネル状態情報（ＣＳＩ）を報告するための構成を決定し、
前記構成に少なくとも部分的に基づいて、第１のサブフレームについて、前記複数のＣＣ内の前記ＣＣのうちの１または複数の各々に関連付けられたＣＳＩを送信するための優先順位を決定し、ここにおいて、前記優先順位は、前記複数のＣＣの各々に関連付けられたＣＳＩ報告タイプ、キャリアインデックス、およびキャリア周波数のうちの少なくとも１つに基づく順序付けを備える、
ＣＳＩを報告するために利用可能なペイロードサイズを決定し、ここにおいて、前記利用可能なペイロードサイズは、構成された送信フォーマットに依存する、
前記優先順位に基づいて、前記第１のサブフレームでＣＳＩ報告を送信する
ように前記機械を構成し、前記複数のＣＣのうちの２つ以上のＣＣについてのＣＳＩは、決定された前記利用可能なペイロードサイズまで前記ＣＳＩ報告で送信され、前記２つ以上のＣＣは、前記優先順位にしたがって選択される、製造物品。
【請求項４４】
前記構成は、前記複数のＣＣ内のＣＣの順序付けと、各ＣＣについての報告タイプとを示す、請求項４３に記載の製造物品。
【請求項４５】
前記機械は、前記優先順位にしたがって、前記第１のサブフレーム内の前記ＣＳＩ報告と１または複数のさらなるＣＳＩ報告を前記第１のサブフレーム内のＣＳＩ報告のための最大ペイロードサイズまで多重化するようにさらに構成される、請求項４３に記載の製造物品。
【請求項４６】
無線通信の方法であって、
送信フォーマットのためにユーザ機器を構成することと、ここにおいて、チャネル状態情報（ＣＳＩ）を報告するために前記ユーザ機器に利用可能なペイロードサイズは前記送信フォーマットに依存する、
ユーザ機器に対して構成された複数のＣＣの間でＣＳＩの優先順位を決定する情報を備えるＣＳＩ報告構成を決定することと、ここにおいて、前記優先順位を決定することは、前記複数のＣＣの各々に関連付けられたＣＳＩ報告タイプ、キャリアインデックス、およびキャリア周波数のうちの少なくとも１つに基づく順序付けを備える、
１または複数の無線リソース制御（ＲＲＣ）メッセージで前記ＣＳＩ報告構成を前記ユーザ機器に送信することと、
前記ＣＳＩ報告構成にしたがって優先された前記複数のＣＣのうちの１または複数についてのＣＳＩを備える１または複数のＣＳＩ報告を前記ユーザ機器から受信することと
を備え、前記複数のＣＣのうちの２つ以上のＣＣについてのＣＳＩは、決定された前記利用可能なペイロードサイズまで前記ＣＳＩ報告で送信され、前記２つ以上のＣＣは、前記優先順位の決定にしたがって選択される、方法。
【請求項４７】
無線通信装置であって、
プロセッサと、
プロセッサ実行可能命令を備えるメモリと
を備え、
前記プロセッサ実行可能命令は、前記プロセッサによって実行されると、
送信フォーマットのためにユーザ機器を構成し、ここにおいて、チャネル状態情報（ＣＳＩ）を報告するために前記ユーザ機器に利用可能なペイロードサイズは前記送信フォーマットに依存する、
ユーザ機器に対して構成された複数のＣＣの間でＣＳＩの優先順位を決定する情報を備えるＣＳＩ報告構成を決定し、ここにおいて、前記優先順位を決定することは、前記複数のＣＣの各々に関連付けられたＣＳＩ報告タイプ、キャリアインデックス、およびキャリア周波数のうちの少なくとも１つに基づく順序付けを備える、
１または複数の無線リソース制御（ＲＲＣ）メッセージで前記ＣＳＩ報告構成を前記ユーザ機器に送信し、
前記ＣＳＩ報告構成にしたがって優先された前記複数のＣＣのうちの１または複数についてのＣＳＩを備える１または複数のＣＳＩ報告を前記ユーザ機器から受信する
ように前記プロセッサを構成し、前記複数のＣＣのうちの２つ以上のＣＣについてのＣＳＩは、決定された前記利用可能なペイロードサイズまで前記ＣＳＩ報告で送信され、前記２つ以上のＣＣは、前記優先順位の決定にしたがって選択される、装置。
【請求項４８】
装置であって、
送信フォーマットのためにユーザ機器を構成する手段と、ここにおいて、チャネル状態情報（ＣＳＩ）を報告するために前記ユーザ機器に利用可能なペイロードサイズは前記送信フォーマットに依存する、
ユーザ機器に対して構成された複数のＣＣの間でＣＳＩの優先順位を決定する情報を備えるＣＳＩ報告構成を決定する手段と、ここにおいて、前記優先順位を決定することは、前記複数のＣＣの各々に関連付けられたＣＳＩ報告タイプ、キャリアインデックス、およびキャリア周波数のうちの少なくとも１つに基づく順序付けを備える、
１または複数の無線リソース制御（ＲＲＣ）メッセージで前記ＣＳＩ報告構成を前記ユーザ機器に送信する手段と、
前記ＣＳＩ報告構成にしたがって優先された前記複数のＣＣのうちの１または複数についてのＣＳＩを備える１または複数のＣＳＩ報告を前記ユーザ機器から受信する手段と
を備え、前記複数のＣＣのうちの２つ以上のＣＣについてのＣＳＩは、決定された前記利用可能なペイロードサイズまで前記ＣＳＩ報告で送信され、前記２つ以上のＣＣは、前記優先順位の決定にしたがって選択される、装置。
【請求項４９】
非一時的な機械読取可能な媒体を備える製造物品であって、前記非一時的な機械読取可能な媒体は複数の命令を備え、前記命令は、機械によって実行されると、
送信フォーマットのためにユーザ機器を構成し、ここにおいて、チャネル状態情報（ＣＳＩ）を報告するために前記ユーザ機器に利用可能なペイロードサイズは前記送信フォーマットに依存する、
ユーザ機器のために構成された複数のＣＣの間でＣＳＩの優先順位を決定する情報を備えるＣＳＩ報告構成を決定し、ここにおいて、前記優先順位を決定することは、前記複数のＣＣの各々に関連付けられたＣＳＩ報告タイプ、キャリアインデックス、およびキャリア周波数のうちの少なくとも１つに基づく順序付けを備える、
１または複数の無線リソース制御（ＲＲＣ）メッセージで前記ＣＳＩ報告構成を前記ユーザ機器に送信し、
前記ＣＳＩ報告構成にしたがって優先順位が決定された前記複数のＣＣのうちの１または複数についてのＣＳＩを備える１または複数のＣＳＩ報告を前記ユーザ機器から受信する
ように前記機械を構成し、前記複数のＣＣのうちの２つ以上のＣＣについてのＣＳＩは、決定された前記利用可能なペイロードサイズまで前記ＣＳＩ報告で送信され、前記２つ以上のＣＣは、前記優先順位の決定にしたがって選択される、製造物品。